(57)【要約】オーバーモールド成形されたプラスチックを使用して顧客交換可能ユニット・フレームからディスク・ドライブを分離する顧客交換可能ユニットが開示される。顧客交換可能ユニット・フレームからディスク・ドライブを分離することによって、入力／出力動作は、顧客交換可能ユニットが挿入されるシャーシからの振動および衝撃により妨害されない。
2012501510.tif 000002
【特許請求の範囲】
【請求項１】
ディスク・ドライブの入力および出力動作を改善するために、顧客が交換可能なユニットから前記ディスク・ドライブを分離する方法であって、
少なくとも２つのサポート・アームを有する顧客交換可能ユニット・フレームを設け、
前記少なくとも２つのサポート・アームに開口を形成することを含み、前記開口は、前記開口を通り、前記ディスク・ドライブに連結するコネクタとともに前記少なくとも２つのサポート・アーム上で前記ディスク・ドライブを支持するものであり、前記方法はさらに、
エラストマー材料で前記顧客交換可能ユニット・フレームから前記ディスク・ドライブを分離するように、前記ディスク・ドライブと前記少なくとも２つのサポート・アームとの間の位置において前記少なくとも２つのサポート・アーム上と、前記開口を囲む前記少なくとも２つのサポート・アームの表面、および前記コネクタが前記開口に配置され、前記ディスク・ドライブに連結されたときに前記コネクタに接触している前記少なくとも２つのサポート・アームの部分の周りとに、振動を吸収することが可能な前記エラストマー材料をオーバーモールド成形すること、を含む方法。
【請求項２】
エラストマー材料をオーバーモールド成形することは、前記少なくとも２つのサポート・アーム上にウレタン５０Ａゴムをオーバーモールド成形することをさらに含む、請求項２に記載の方法。
【請求項３】
顧客交換可能ユニット・フレームを設けることは、ＡＢＳから製造される顧客交換可能ユニットを設けることをさらに含む、請求項２に記載の方法。
【請求項４】
顧客交換可能ユニット・フレームを設けることは、金属から製造される顧客交換可能ユニットを設けることをさらに含む、請求項２に記載の方法。
【請求項５】
顧客が交換可能なユニット中に取り付けられたディスク・ドライブの入力／出力動作の成功の発生を増加させる顧客交換可能ユニットであって、
少なくとも２つのサポート・アームを有する顧客交換可能ユニット・フレームを含み、前記サポート・アームに複数のサポート・アーム開口が形成されており、前記サポート・アーム開口が前記ディスク・ドライブ上の複数のディスク・ドライブ・サポート開口と整合されており、さらに、
前記顧客交換可能ユニット・フレーム中で前記ディスク・ドライブを支持するために前記サポート・アーム開口および前記ディスク・ドライブ・サポート開口に挿入される複数のコネクタと、
前記ディスク・ドライブがエラストマー材料によって前記顧客交換可能ユニット・フレームから実質的に分離されるように、前記ディスク・ドライブと前記少なくとも２つのサポート・アームとの間の位置において前記少なくとも２つのサポート・アーム上と、前記サポート・アーム開口を囲む前記少なくとも２つのサポート・アームの表面、および前記サポート・アーム開口に挿入された前記複数のコネクタに接触している前記少なくとも２つのサポート・アームの部分の周りとにオーバーモールド成形される、前記エラストマー材料とを含む、顧客交換可能ユニット。
【請求項６】
前記エラストマー材料がウレタン５０Ａゴムを含む、請求項５に記載の顧客交換可能ユニット。
【請求項７】
前記顧客交換可能ユニット・フレームがＡＢＳから製造される、請求項６に記載の顧客交換可能ユニット。
【請求項８】
前記顧客交換可能ユニット・フレームが金属から製造される、請求項６に記載の顧客交換可能ユニット。
【発明の詳細な説明】
【背景技術】
【０００１】
顧客交換可能ユニットは、サーバ、ＲＡＩＤ装置などにおけるディスク・ドライブなどの機器を交換する便利で簡単な方法を提供している。ホット・スペアなどのドライブ、ＲＡＩＤユニットにおけるミラー・ドライブ、または任意のタイプの交換ドライブは、顧客交換可能ユニット装置を使用して容易に取外しまたは交換できる。ディスク・ドライブは、ユニットの背面に連結するコネクタを有するケーブルを用いて、ＲＡＩＤユニット、サーバ、コンピュータなどのシャーシから着脱できる。したがって、顧客交換可能ユニット装置は、コンピュータおよび電子工業において利用されている、ディスク・ドライブなどの機器を交換する実際的で便利な方法であることがわかっている。
【発明の概要】
【課題を解決するための手段】
【０００２】
したがって、本発明の一実施形態は、ディスク・ドライブの入力および出力動作を改善するために顧客交換可能ユニットからディスク・ドライブを分離する方法であって、少なくとも２つのサポート・アームを有する顧客交換可能ユニット・フレームを設けることと、開口を通り、ディスク・ドライブに連結するコネクタとともに少なくとも２つのサポート・アーム上でディスク・ドライブを支持するために少なくとも２つのサポート・アームに開口を形成することと、エラストマー材料で顧客交換可能ユニット・フレームからディスク・ドライブを分離するように、ディスク・ドライブと少なくとも２つのサポート・アームとの間の位置において少なくとも２つのサポート・アーム上と、開口を囲む少なくとも２つのサポート・アームの表面、およびコネクタが開口に配置され、ディスク・ドライブに連結されたときにコネクタに接触している少なくとも２つのサポート・アームの部分の周りとに、振動を吸収することが可能なエラストマー材料をオーバーモールド成形することとを含む方法を備えることができる。
【０００３】
本発明の一実施形態は、顧客交換可能ユニット中に取り付けられたディスク・ドライブの入力／出力動作の成功の発生を増加させる顧客交換可能ユニットであって、少なくとも２つのサポート・アームを有し、サポート・アームに複数のサポート・アーム開口が形成されており、サポート・アーム開口がディスク・ドライブ上の複数のディスク・ドライブ・サポート開口と整合される、顧客交換可能ユニット・フレームと、顧客交換可能ユニット・フレーム中でディスク・ドライブを支持するためにサポート・アーム開口およびディスク・ドライブ・サポート開口に挿入される複数のコネクタと、ディスク・ドライブがエラストマー材料によって顧客交換可能ユニット・フレームから実質的に分離されるように、ディスク・ドライブと少なくとも２つのサポート・アームとの間の位置において少なくとも２つのサポート・アーム上と、サポート・アーム開口を囲む少なくとも２つのサポート・アームの表面、およびサポート・アーム開口に挿入された複数のコネクタに接触している少なくとも２つのサポート・アームの部分の周りとにオーバーモールド成形されるエラストマー材料とを備える顧客交換可能ユニットをさらに備えることができる。
【図面の簡単な説明】
【０００４】
【図１】顧客交換可能ユニットの一実施形態の概略透視図である。
【図２】図１の実施形態の顧客ユニット・フレームの概略透視図である。
【図３】図１の顧客交換可能ユニットの一部分の概略側面図である。
【図４】図２に示されたフレームの一部分の概略透視図である。
【図５】オーバーモールド成形を施した図２に示されたフレームの一部分の概略透視図である。
【図６】開口の周りのオーバーモールド成形を示すフレーム中の開口の概略透視図である。
【発明を実施するための形態】
【０００５】
図１は、顧客交換可能ユニット（ＣＲＵ）１００の一実施形態の概略透視図である。ＣＲＵ１００の実施形態は、ディスク・ドライブ１０２と、前面ロッキング・ラッチ１０４と、サポート・アーム１０６と、サポート・アーム１０８とを含む。サポート・アーム１０６は外側オーバーモールド１１０と内側オーバーモールド１２６とを含む（図３）。サポート・アーム１０８は、内側オーバーモールド１１２と、外側オーバーモールド１１０と同様の外側オーバーモールド（図示せず）とを含む。外側オーバーモールド１１０およびサポート・アーム１０６は、ディスク・ドライブ１０２をサポート・アーム１０６に対して保持するためにディスク・ドライブ１０２に付属する、ねじなどのコネクタを受けるように構成された、一連の開口１１４、１１６、１１８、１２０、１２２および１２４を有する。ディスク・ドライブ１０２をサポート・アーム１０８に対して保持するために、同様の開口が、サポート・アーム１０８と、内側オーバーモールド１１２と、サポート・アーム１０８の外側部分上の外側オーバーモールド（図示せず）とに形成される。サポート・アーム１０６、１０８は、ディスク・ドライブ１０２の交換を可能にするために、サーバまたはＲＡＩＤ記憶装置など、装置のシャーシ内に嵌合する。ＣＲＵ１００は、前面ロッキング・ラッチ１０４を使用して容易にシャーシに挿入し、シャーシから取り外すことができる。前面ロッキング・ラッチ１０４はＣＲＵ１００をシャーシ中の所定の位置にしっかりと保持する。
【０００６】
図２に示されるＣＲＵ１００の実施形態では、顧客交換可能ユニット・フレーム２００（図２）とディスク・ドライブ１０２との間に分離を設ける。この分離は、図に示されるオーバーモールド成形によって設けられる。内側オーバーモールド１１２および内側オーバーモールド１２６（図３）などのオーバーモールド成形は、それぞれ、ディスク・ドライブ１０２とサポート・アーム１０８との間およびディスク・ドライブ１０２とサポート・アーム１０６との間に位置する。オーバーモールド成形材料は、顧客交換可能ユニット・フレーム２００からディスク・ドライブへの振動および衝撃の伝達を大幅に低減するために十分に柔らかい、任意のタイプのプラスチックまたはエラストマーとすることができる。たとえば、オーバーモールド成形は、ウレタンゴムなど、所望のタイプのゴム材料または合成ゴム材料を含むことができる。一実施形態では、ウレタン５０Ａ  ｄｕｒのテクスチャ加工ゴムを使用する。本明細書では、顧客交換可能ユニット・フレーム２００からディスク・ドライブ１０２を分離するために顧客交換可能ユニット・フレーム２００上に成形できる所望の柔らかいプラスチック、ウレタン、天然ゴムと合成ゴムの両方、および他の材料のいずれかを説明するために、プラスチックおよびプラスチック材料という用語を使用する。
【０００７】
再び図２を参照すると、外側オーバーモールド１１０および内側オーバーモールド１１２、ならびに内側オーバーモールド１２６およびサポート・アーム１０８上の外側オーバーモールド（図示せず）は、標準のオーバーモールド成形技法を使用してサポート・アーム１０６、１０８に対して成形される。プラスチックのオーバーモールド成形層は、シャーシへの挿入中およびシャーシからの取外し中に顧客交換可能ユニット１００の動作を妨げないように十分に薄い。成形工程は、金属、ＡＢＳまたは他のプラスチック材料を含む様々な材料から製造できるサポート・アーム１０６、１０８にエラストマー材料を固定する。外側オーバーモールド１１０および内側オーバーモールド１２６（図３）はサポート・アーム１０６の両面上にある。オーバーモールド成形されたプラスチック材料は、図１および図２に示されるベベル面および柱面を含む開口１１４〜１２４の表面のすべてを覆う。このようにして、ディスク・ドライブ１０２がプラスチック・オーバーモールド成形材料によって分離されるように、開口１１４〜１２４、およびサポート・アーム１０８上の同様の開口を通るコネクタはディスク・ドライブ１０２をサポート・アーム１０６、１０８に対して保持するためにディスク・ドライブ１０２に連結する。言い換えれば、サポート・アーム１０６、１０８の開口に挿入されるねじなどのコネクタがプラスチック・オーバーモールド成形材料にしか接触しないように、サポート・アーム１０６、１０８上に配置されるプラスチック・オーバーモールド成形材料は、サポート・アーム１０６、１０８とディスク・ドライブ１０２との間と、サポート・アーム１０６、１０８の穴の内面の周りと、ベベルを含む、サポート・アーム１０６、１０８の外面上とに配置される。さらに、ディスク・ドライブの側面は、さらなる分離を設けるためにプラスチック・オーバーモールド成形材料にしか接触しない。プラスチック・オーバーモールド成形材料はサポート・アーム１０６、１０８の材料よりも柔らかいので、プラスチック・オーバーモールド成形材料は、衝撃および振動を吸収し、ＲＡＩＤ装置、サーバなどのシャーシから顧客交換可能ユニット・フレーム２００に伝達される衝撃および振動からディスク・ドライブ１０２を分離するように機能する。
【０００８】
図３は、顧客交換可能ユニット２００の一部分の概略側面図である。図３に示すように、サポート・アーム１０６は、サポート・アーム１０６の外面上の外側プラスチック・オーバーモールド１１０およびサポート・アーム１０６の内面上の内側プラスチック・オーバーモールド１２６で覆われる。内側オーバーモールド１２６は、ディスク・ドライブ１０２がサポート・アーム１０６から分離されるようにディスク・ドライブ１０２とサポート・アーム１０６との間に配設される。また図３に示すように、ねじ１２８がサポート・アーム１０６の開口１１８に挿入され、ディスク・ドライブをサポート・アーム１０６に対して支持するためにディスク・ドライブ１０２に連結される。もちろん、図３に示されていない、サポート・アーム１０６の他の穴に他のねじが取り付けられる。図３でわかるように、開口１１８には、サポート・アーム１０６の構造からねじ１２８を分離するオーバーモールド・コーティング１３０がある。さらに、ねじ１２８は開口１１８のベベル１３４の外側オーバーモールド１１０と接触している。
【０００９】
図４は、顧客交換可能ユニット・フレーム構造１３６の概略透視図である。図４に示すように、前面サポート１３２は、サポート・アーム１０６およびサポート・アーム１０８に連結される。前面サポート１３２、サポート・アーム１０６およびサポート・アーム１０８は、ＡＢＳプラスチックまたは他のプラスチック材料からの単体構造として成形できる。あるいは、図４に示されるフレーム構造１３６は金属から製作できる。プラスチックと金属の両方のフレーム構造１３６は、ディスク・ドライブ１０２と図４に示されたフレーム構造１３６との間に分離を設けるためにプラスチック・オーバーモールド成形でオーバーモールド成形できる。同じく、様々なタイプの硬質で耐久性のあるプラスチックおよび複合材料が、図４に示されたフレーム構造１３６に使用できる。
【００１０】
図５は、図４に示されたフレーム構造１３６の概略透視図であり、フレーム構造１３６上にオーバーモールド成形されたプラスチック材料を示す。図５に示すように、外側オーバーモールド１１０および内側オーバーモールド１１２は、上記の方法でフレーム構造１３６上に成形される。さらに、内側オーバーモールド１２６（図３）およびサポート・アーム１０８上の外側オーバーモールド（図示せず）は、サポート・アーム１０６、１０８の反対側の上にも成形される。オーバーモールド成形工程は、開口のベベル構造が維持され、オーバーモールド材料がサポート・アーム１０６、１０８の開口を通ってサポート・アーム１０６、１０８の裏側に到り、単体オーバーモールド構造を形成するように実行される。オーバーモールド成形されたプラスチックのこの単一の単体構造は、プラスチック材料をサポート・アーム１０６、１０８に固定するのに役立つ。
【００１１】
図６は、開口１１４を示すサポート・アーム１０６の一部分の概略透視図である。図６に示すように、外側オーバーモールド１１０はベベル１３４および開口１１４を覆う。オーバーモールド・コーティング１３０は、開口１１４がオーバーモールド成形されたプラスチックによって完全に囲まれるように、開口１１４の表面のすべてを覆う。このようにすると、開口１１４に挿入されるねじなどのコネクタは、開口１１４の内部およびベベル１３４上のオーバーモールド・コーティング１３０に接触し、どの位置においてもサポート・アーム１０６に接触しない。
【００１２】
したがって、サポート・アーム１０６、１０８上に配置されたオーバーモールド成形されたプラスチックは、顧客交換可能ユニットが使用されるシャーシからサポート・アーム１０６、１０８によって伝達される衝撃および振動からディスク・ドライブ１０２を分離する。ディスク・ドライブ１０２を分離することによって、入力／出力動作が失敗する回数はより少なくなり、ディスク・ドライブはより効果的に動作する。さらに、顧客交換可能ユニットに通常追加される回転振動ばねをなくすことができ、ドライブの入力／出力機能が高められる。入力／出力動作が高められるだけでなく、動作の成功回数の変動が非常に低くなる。これらの利点のすべてにより、より安定した顧客交換可能ユニットが得られる。
【００１３】
本発明の以上の説明は、例示および説明のために提示したものである。それは、網羅的なものではなく、また本発明を開示された厳密な形態に限定するものではなく、上記の教示に照らして他の変更形態および改変形態が可能である。実施形態については、本発明の原理およびその実際的な適用を最もよく説明するために選択し、説明しており、それにより他の当業者は、企図される特定の用途に適した様々な実施形態および様々な変更形態において本発明を最もよく利用できるようになる。添付の特許請求の範囲は、従来技術によって限定される場合を除いて本発明の他の代替実施形態を含むと解釈されるものとする。
【図１】
2012501510.tif 000003
【図２】
2012501510.tif 000004
【図３】
2012501510.tif 000005
【図４】
2012501510.tif 000006
【図５】
2012501510.tif 000007
【図６】
2012501510.tif 000008
【国際調査報告】
2012501510.tif 000009